(57)【特許請求の範囲】
【請求項１】
貯留した洗浄液を外部に供給し洗浄後の洗浄液を濾過して回収する本体装置と、前記貯留した洗浄液を外部に供給するとき該洗浄液を分岐する分岐管部と前記洗浄後の洗浄液を集合する集合管部とを一体とするとともに前記本体装置とは別体とし、洗浄する金型のそれぞれの洗浄ニーズに対応させ予め定めた互いに異なる複数のユニット化を行うとともに前記本体装置の内部にそれぞれを取り付け取り外し自在とし前記洗浄ニーズに応じた洗浄を行う分岐管ユニットとを備えたことを特徴とするユニット式冷却配管洗浄装置。
【発明の詳細な説明】
【０００１】
【発明の属する技術分野】
本発明は、交換可能の分岐管ユニットを備え、様々の洗浄ニーズに容易に対応できるようにしたユニット式冷却配管洗浄装置に関する。
【０００２】
【従来の技術】
金型の冷却路や空調機器の冷却配管などは長期間使用していると、管の内部に錆が発生したりカルシウムやシリカなどのスケールが付着し、管内が狭くなり冷却効果が低下する恐れがある。そのため、洗浄装置により洗浄液を使用しこれらの冷却路や冷却配管に発生した錆や付着したスケールを除去することが従来から行われてきている。
【０００３】
図４は、従来装置の冷却配管洗浄装置１を説明するためのブロック図を示す。冷却配管洗浄装置１は、洗浄液を貯留する貯留槽２と、洗浄液を供給するポンプ３と、洗浄液を濾過するフィルタ４と、その他圧力計５や流量計６などで構成され、箱型の筐体１０に収納されている。
【０００４】
金型２０の冷却路２１を洗浄するときには、まず、洗浄液を貯留槽２に入れ、金型２０の冷却路２１と冷却配管洗浄装置１とを洗浄液供給側の連結管１２と洗浄液回収側の連結管１３により連結する。栓８、９を開きポンプ３を作動させると、洗浄液は金型２０の冷却路２１を循環し、洗浄が行われる。洗浄状況は、圧力計５や流量計６で監視でき、洗浄後はドレンの栓７を開き洗浄液を回収することができる。
【０００５】
又、金型２０の冷却水路２１が複数ある場合や、同時に複数の金型２０を洗浄したい場合などには、金型２０に供給する洗浄液を分岐する分岐管と、分岐した洗浄液を集合する集合管とを別途用意して、それぞれ連結管１２と連結管１３とに接続し洗浄を行っている。
【０００６】
【発明が解決しようとする課題】
しかしながら、従来の冷却管洗浄装置１には、次のような問題があった。
【０００７】
複数の冷却路２１を持つ金型２０を洗浄する場合や、同時に複数の金型２０を洗浄する場合などには、複数の冷却路２１を直列に連結し洗浄することもできるが洗浄の効果と効率が低下するため、前記したごとく冷却管洗浄装置１とは別に分岐管と集合管とを用意して冷却管洗浄装置１に接続し洗浄を行っている。そのため、別々の装置を用意することとなり、装置全体がかさばってしまい洗浄場所に多くのスペースを必要とし、取扱いも煩雑となる恐れがあった。
【０００８】
洗浄場所に多くのスペースを必要とすることと取扱いの煩雑を避けるために、洗浄液の水路を分岐した分岐管を組み込み一体装置とすることも考えられるが、近年、金型の種類も多岐に亘り洗浄ニーズも多様となっているため、それらのニーズを個々に満たすためには多種類の冷却配管洗浄装置を用意せねばならずコスト高となる恐れがあった。さらに、目的にあったものを用意しても用途が限定されているため、洗浄ニーズが変わったとき対応できない恐れもあった。
【０００９】
本発明は、上記に鑑みてなされたものであって、様々の洗浄ニーズに容易に対応できる操作性に優れたユニット式冷却配管洗浄装置を提供することを目的とする。
【００１０】
【課題を解決するための手段】
そこで本発明のユニット式冷却配管洗浄装置は、貯留した洗浄液を外部に供給し洗浄後の洗浄液を濾過して回収する本体装置と、前記貯留した洗浄液を外部に供給するとき該洗浄液を分岐する分岐管部と前記洗浄後の洗浄液を集合する集合管部とを一体とするとともに前記本体装置とは別体とし、洗浄する金型のそれぞれの洗浄ニーズに対応させ予め定めた互いに異なる複数のユニット化を行うとともに前記本体装置の内部にそれぞれを取り付け取り外し自在とし前記洗浄ニーズに応じた洗浄を行う分岐管ユニットとを備えることとした。
【００１１】
さらに、前記分岐管ユニットの種類は、少数分岐管ユニット、多数分岐管ユニット、逆流可能分岐管ユニット及び、圧力計及び又は流量計付き分岐管ユニットのうち少なくとも複数種類を有することとした。
【００１２】
【発明の実施の形態】
以下、本発明の実施の形態について説明する。
【００１３】
図１は、本発明に関わるユニット式冷却配管洗浄装置３０のブロック図を示す。ユニット式冷却配管洗浄装置３０は、本体装置３１と分岐管ユニット５０とで構成されている。ユニット式冷却配管洗浄装置３０は洗浄液を貯留する貯留槽３２と、洗浄液を供給するポンプ３３と、洗浄液を濾過するフィルタ３４と、その他圧力計３５や流量計３６などで構成され、箱型の筐体４０に収納されている。分岐管ユニット５０は分岐管部５１と集合管部５２とで構成されている。
【００１４】
供給管４７は貯留槽３２の底面からポンプ３３と圧力計３５を介し栓３７まで伸びており、ポンプ３３の動作により洗浄液が供給管４７を通り栓３７に供給される。回収管４８は栓３８からフィルタ３４と流量計３６を介して貯留槽３２の洗浄液の上面まで伸び、洗浄液は栓３８より回収管４８を通り貯留槽３２に回収される。なお、貯留槽３２の洗浄液は、洗浄後にドレンの栓３９を開にすることにより抜くことができる。
【００１５】
分岐管ユニット５０は、取り付け取り外し自在のユニット式とし筐体４０内にに収納される。なお、本体装置３１側の連結管４２、４３への取り付け取り外しも容易に行うことができる。分岐管ユニット５０の金型６０側には複数の連結管５６と複数の連結管５７がそれぞれ取り付けられ、洗浄を行うときには金型６０の複数の冷却路６１に連結される。従って、洗浄液は、供給管４７、分岐管ユニット５０の分岐管部５１、連結管５６、冷却路６１、連結管５７、分岐管ユニット５０の集合管部５２及び回収管４８を通り循環する。
【００１６】
金型６０の冷却路６１の洗浄を行うときには、まず、洗浄する金型６０に連結管５６と連結管５７を連結し、ポンプ３３を作動させ、洗浄液を本体装置３１から分岐管ユニット５０を介して金型６０を循環させ洗浄が行われる。洗浄の状態は圧力計３５と流量計３６により監視することができる。分岐管ユニット５０は、金型６０の複数の冷却路に並列に洗浄液を供給しており、洗浄効果をあげることができる。又、同時に複数の金型６０の冷却路６１の洗浄を行うときにも有効である。
【００１７】
図２は分岐管ユニット５０の種々の形態を示し、図２（Ａ）は４チャンネルの分岐管ユニット５０ａを示し、図２（Ｂ）は分岐管に圧力計３５と流量計３６をそれぞれ取り付けた分岐管ユニット５０ｂを示し、図２（Ｃ）は多数チャンネルの分岐管ユニット５０ｃを示し、図２（Ｄ）は逆流切り替えを可能とした分岐管ユニット５０ｄを示し、図２（Ｅ）は分岐管に圧力計３５と流量計３６をそれぞれ取り付け逆流可能とした分岐管ユニット５０ｅを示す。分岐管ユニット５０ａ、５０ｂ、５０ｃ、５０ｄ、５０ｅは、複数の栓５４を有する分岐管部５１ａ、５１ｂ、５１ｃ、５１ｄ、５１ｅと、複数の栓５４を有する集合管部５２ａ、５２ｂ、５２ｃ、５２ｄ、５２ｅを備えており、様々の洗浄ニーズに対応させて取り付け・交換して使用することができる。
【００１８】
図２（Ａ）の分岐管ユニット５０ａは、金型６０の冷却路が比較的少ないときに、冷却路に並列に洗浄液を供給し洗浄効果をあげることができるものである。図２（Ｂ）の分岐管ユニット５０ｂは、金型６０の冷却路ごとに洗浄状態を監視して洗浄したいときに特に有効なものである。図２（Ｃ）の分岐管ユニット５０ｃは、金型６０の冷却路が比較的多いときや同時に複数の金型６０を洗浄したいときなどに有効なものである。図２（Ｄ）の分岐管ユニット５０ｄは、切り替え部５３を備えており、洗浄液の逆流切り替えを行い洗浄したいときに特に有効なものである。なお、切り替え部５３では、順方向に洗浄液を供給するときには栓５５ｇ、５５ｈを閉じ栓５５ｆ、５５ｉを開き、逆方向に洗浄液を供給するときには栓５５ｇ、５５ｈを開き栓５５ｆ、５５ｉを閉じる。又、図２（Ｅ）の分岐管ユニット５０ｅは、金型６０の冷却路ごとに洗浄状態を監視し、さらに切り替え部５３を備え洗浄液の逆流切り替えを行い洗浄したいときに特に有効なものである。なお、切り替え部５３では、順方向に洗浄液を供給するときには栓５５ｇ、５５ｈを閉じ栓５５ｆ、５５ｉを開き、逆方向に洗浄液を供給するときには栓５５ｇ、５５ｈを開き栓５５ｆ、５５ｉを閉じる。逆流切り替えは本体装置１に取り付けることもできるが、使用しないこともあることから、分岐管ユニット５０に取り付けることが有効と言える。
【００１９】
図３は、本体装置３１と分岐管ユニット５０とを筐体４０に収納配置したユニット式冷却配管洗浄装置３０の外観図を示す。図３（Ａ）はユニット式冷却配管洗浄装置３０の筐体４０の内部側面図を示し、図３（Ｂ）はユニット式冷却配管洗浄装置の筐体４０正面図を示す。図３（Ａ）に示すごとく筐体４０内には分岐管ユニット５０、貯留槽３２、ポンプ３３、フィルタ３４、圧力計３５、流量計３６などが配設されている。図３（Ｂ）に示す筐体４０の正面には、表示器７０と、ポンプ３３などの操作スイッチ６０が設けられている。圧力計３５、流量計３６は直接目視で計測できるが、表示器７０にデータを表示することもでき、又、栓３７、栓３８、栓３９（図１に図示）及び栓５４などの開閉は手動で行うことができるが、電磁弁とし筐体４０に操作スイッチを設け操作するようにすることもできる。
【００２０】
なお、上記実施例では、金型の冷却路の洗浄について述べたが空調機器の配管などの洗浄も行うことができる。
【００２１】
以上述べたごとく、分岐管ユニット５０は、金型６０の複数の冷却路に並列に洗浄液を供給し洗浄効果をあげることや、同時に複数の金型６０の洗浄に有効であるなどの特徴を持つが様々な形態があり、種々用意した分岐管ユニット５０を様々な洗浄ニーズに応じてセレクトして本体装置３１に取り付け取り外し容易に備えることができ、洗浄目的に対し廉価の装置とすることができる。又、使用目的が変わったとしても、低価格で目的に合ったものに容易に交換することができる。分岐管ユニット５０は、分岐管部と集合管部とを一体のユニット式としたため交換も容易で、ユニットを取り外し連結管４２、４３への取り付け取り外しを行うのみで容易に交換を行うことができる。本体装置３１のみでの使用も可能で、本体装置３１と分岐管ユニット５０を筐体４０内に収納しコンパクトにすることができ、操作性も向上させることができた。
【００２２】
【発明の効果】
本発明のユニット式冷却配管洗浄装置は、貯留した洗浄液を外部に供給し洗浄後の洗浄液を濾過して回収する本体装置と、前記貯留した洗浄液を外部に供給するとき該洗浄液を分岐する分岐管部と前記洗浄後の洗浄液を集合する集合管部とを一体とするとともに前記本体装置とは別体とし、洗浄する金型のそれぞれの洗浄ニーズに対応させ予め定めた互いに異なる複数のユニット化を行うとともに前記本体装置の内部にそれぞれを取り付け取り外し自在とし前記洗浄ニーズに応じた洗浄を行う分岐管ユニットとを備えることとしたことにより、様々の洗浄ニーズに対応でき、使用目的に対し廉価のコンパクトな装置とすることができる。又、分岐管部と集合管部とを一体のユニット式としたことにより交換も容易で、ユニットを取り外し連結管への取り付け取り外しを行うのみで容易に交換を行うことができる。
【００２３】
さらに、前記分岐管ユニットの種類は、少数分岐管ユニット、多数分岐管ユニット、逆流可能分岐管ユニット及び、圧力計及び又は流量計付き分岐管ユニットのうち少なくとも複数種類を有することにより、様々の洗浄ニーズに効果的に対応することができる。
【図面の簡単な説明】
【図１】本発明に関わるユニット式冷却配管洗浄装置のブロック図を示す。
【図２】分岐管ユニットの種々の形態を示し、図２（Ａ）は４チャンネルの分岐管ユニットを示し、図２（Ｂ）は分岐管に圧力計と流量計をそれぞれ取り付けた分岐管ユニットを示し、図２（Ｃ）は多数チャンネルの分岐管ユニットを示し、図２（Ｄ）は逆流切り替えを可能とした分岐管ユニットを示し、図２（Ｅ）は分岐管に圧力計と流量計をそれぞれ取り付け逆流可能とした分岐管ユニットを示す。
【図３】本体装置と分岐管ユニットとを筐体に収納配置したユニット式冷却配管洗浄装置の外観図を示し、（Ａ）は筐体の内部側面図、（Ｂ）は筐体の正面図を示す。
【図４】従来装置の冷却配管洗浄装置を説明するためのブロック図を示す。
【符号の説明】
１  冷却配管洗浄装置
２、３２  貯留槽
３、３３  ポンプ
４、３４  フィルタ
５、３５  圧力計
６、３６  流量計
１０、４０  筐体
２０、６０  金型
２１、６１  冷却路
３０  ユニット式冷却配管洗浄装置
３１  本体装置
５０  分岐管ユニット
５１  分岐管部
５２  集合管部
５３  切り替え部
【図１】
0004204666.tif 000002
【図２】
0004204666.tif 000003
【図３】
0004204666.tif 000004
【図４】
0004204666.tif 000005